Podtech/llm-jp-corpus-v4-ja_patent huggingface dataset:
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
４種類のスーツを有するトランプカードであって、
前記４種類のスーツが、ＤＮＡまたはＲＮＡを構成する４種類のヌクレオチドの塩基である
アデニンと、
シトシンと、
グアニンと、
チミン若しくはウラシル、または、それらの組合せと、
から成り、
前記カードの表面の左サイドの上部及び右サイドの下部には、当該カードのスーツを表す記号と当該カードのランクを表す数字または記号とから成るインデックスが表示され、
前記インデックスが表示されたカードの表面には、前記塩基の３つにより規定されるアミノ酸の中で当該カードのランクに対応付けたアミノ酸の名称、化学式及び分子モデルの少なくとも一つが表示されている、
ことを特徴とするトランプカード。
【請求項２】
請求項１に記載のトランプカードであって、各スーツのカードの枚数が、前記塩基の３つにより規定されるアミノ酸の数と同じ２０枚に設定されていることを特徴とするトランプカード。
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
リン酸イオンを含有する水溶液に、リン浄化剤を添加する工程を含み、該リン浄化剤は、リン酸イオンを含有する水溶液中にマグネシウムイオン及びカルシウムイオンを生成させるものであり、
該リン浄化剤を添加する方法は、リン酸イオンを含有する水溶液に添加されるとマグネシウムイオンをリン酸イオンを含有する水溶液中に生成させる化合物及びリン酸イオンを含有する水溶液に添加されるとカルシウムイオンをリン酸イオンを含有する水溶液中に生成させる化合物を添加する方法であり、
マグネシウムイオンを生成させる化合物が水酸化マグネシウムであり、
カルシウムイオンを生成させる化合物が炭酸カルシウムである、
リン酸イオン含有水溶液の処理方法。
【請求項２】
マグネシウムイオンを生成させる化合物とカルシウムイオンを生成させる化合物との質量比が１／２〜５／１（マグネシウムイオンを生成させる化合物／カルシウムイオンを生成させる化合物）である請求項１記載の処理方法。
【請求項３】
リン浄化剤をリン酸イオンを含有する水溶液に対して０．０１質量％以上添加する請求項１又は２記載の処理方法。
【請求項４】
リン酸イオンを含有する水溶液と、リン浄化剤とを接触させる工程を含み、
前記リン浄化剤は、水酸化マグネシウム粒子及び硫酸カルシウム粒子からなる群より選択される少なくとも１種の粒子（Ａ）と、粒子（Ａ）以外の粒子（Ｂ）とを含み、粒子（Ｂ）が砂であり、粒子（Ａ）が粒子（Ｂ）に担持されているリン酸イオン含有水溶液の処理方法。
【請求項５】
前記接触工程は、前記リン浄化剤を収容した反応槽にリン酸イオンを含有する水溶液を通過させる工程であり、
該反応槽は、砂及び前記リン浄化剤を収容しており、該砂及びリン浄化剤は、前記反応槽の上部から順に、第一の砂層、リン浄化剤層、及び、第二の砂層を構成し、
該第一の砂層は、有効径が前記粒子（Ｂ）よりも小さい第一の砂からなり、
該リン浄化剤層は、前記リン浄化剤を含み、
該第二の砂層は、有効径が前記粒子（Ｂ）よりも小さい第二の砂からなる、
請求項４記載の処理方法。
【請求項６】
粒子（Ｂ）は、有効径が０．３〜３．０ｍｍである請求項４又は５記載の処理方法。
【請求項７】
粒子（Ｂ）は、均等係数が１．５以下である請求項４、５又は６記載の処理方法。
【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
血管形成または冠状動脈形成のためのバルーンカテーテルであって、
近位部分および遠位部分を有するシャフトと、
前記シャフトの前記遠位部分に結合された膨張可能バルーンと、
前記バルーンを囲む非移植可能スコアリングまたはカッティング構造であって、前記スコアリングまたはカッティング構造は、前記膨張可能バルーンの膨張の際に血管の管腔表面に刻み目を付けること、または、前記管腔表面を切断することが可能である、非移植可能スコアリングまたはカッティング構造と
を含み、
前記バルーンカテーテルは、その表面の少なくとも一部に治療的に有効な量の少なくとも１つの酸化非感受性薬物と、前記薬物の３〜１００重量％のある量の少なくとも１つの親油性抗酸化剤とを有し、前記少なくとも１つの酸化非感受性薬物はタキサン、サリドマイド、スタチン、コルチコイド、およびコルチコイドの親油性誘導体から成る群から選択され、前記少なくとも１つの親油性抗酸化剤はノルジヒドログアイアレチン酸、レスベラトロール、および没食子酸プロピルから成る群から選択される、バルーンカテーテル。
【請求項２】
前記構造は、前記膨張可能バルーンの膨張の際に前記管腔表面に刻み目を付けることが可能な１つ以上のワイヤを含む、請求項１に記載のバルーンカテーテル。
【請求項３】
前記構造は、前記膨張可能バルーンの膨張の際に前記管腔表面を切断することが可能な１つ以上の構造を含む、請求項１に記載のバルーンカテーテル。
【請求項４】
前記酸化非感受性薬物は、パクリタキセル、プロタキセル、およびドセタキセルから成る群から選択されたタキサンである、請求項１に記載のバルーンカテーテル。
【請求項５】
前記少なくとも１つの親油性抗酸化剤は、ノルジヒドログアイアレチン酸である、請求項４に記載のバルーンカテーテル。
【請求項６】
前記タキサンは、パクリタキセルである、請求項４に記載のバルーンカテーテル。
【請求項７】
前記少なくとも１つの親油性抗酸化剤は、ノルジヒドログアイアレチン酸である、請求項６に記載のバルーンカテーテル。
【請求項８】
前記少なくとも１つの親油性抗酸化剤は、ノルジヒドログアイアレチン酸である、請求項１に記載のバルーンカテーテル。
【請求項９】
前記ある量の前記少なくとも１つの親油性抗酸化剤は、血管形成部位への薬物の送達の間に前記薬物を早発損失から保護する、請求項１に記載のバルーンカテーテル。
【請求項１０】
明細書に記載の発明。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて乱数を取得する乱数取得手段と、
前記乱数取得手段により取得される乱数に基づいて、当たり判定処理を行う当たり判定手段と、
前記当たり判定手段による当たり判定処理の結果が当たりであることに基づいて、当たり遊技を行う当たり遊技実行手段と、
前記乱数取得手段により乱数が取得された場合、この乱数が供される当たり判定処理をその実行条件が成立するまで待機させて保留する遊技保留手段と、
前記当たり判定処理にかかる実行条件が成立することによりその保留状態が解除された以降、該当たり判定処理の結果に基づいて、図柄の変動表示にかかる制御を行う変動表示制御手段と、
前記遊技保留手段によって保留されている当たり判定処理についての保留の状況が示される領域に保留画像を表示する制御を実行可能な保留画像表示制御手段と、
前記遊技保留手段によって保留されている当たり判定処理のうちの特定の当たり判定処理に対して前記保留画像が表示されているなかで、保留状態にある他の当たり判定処理にかかる実行条件が成立したことに基づき、第１の演出結果及び第２の演出結果の分岐点を有する動的表示としての分岐アクションを特定のキャラクタ画像を用いて前記保留画像に対して開始させ、該分岐アクションが開始されてからの時間の経過によりその動的表示が第１の演出結果及び第２の演出結果のいずれに分岐していくのかを前記実行条件の成立した１回の他の当たり判定処理の結果に応じた図柄の変動表示が行われる期間内で示す制御を実行可能な進展表示制御手段と
を備え、前記分岐アクションが開始されてからの時間の経過によりその動的表示が第１の演出結果に分岐していく場合と第２の演出結果に分岐していく場合とで異なる当たり期待度であることが示されうるものであって、
さらに、
前記第１の演出結果に分岐していく動的表示が行われた後に表示される結果態様として当たり期待度の異なる複数の結果態様が用意されており、
前記複数の結果態様のいずれが表示されるのかによって異なる当たり期待度であることが示されうるように制御する手段、
前記第１の演出結果に分岐していく動的表示が行われた後に表示された結果態様を、複数の前記図柄の変動表示にまたがって表示する結果継続表示制御手段、及び
前記第１の演出結果に分岐していく態様と前記第２の演出結果に分岐していく態様とのいずれの分岐アクションが開始されるのか事前に決定されているにもかかわらず、該分岐アクションが未だ開始されていない段階にあるときに、他の当たり判定処理の結果に応じた図柄の変動表示が行われた結果、当たり表示が現れた場合、該分岐アクションを開始させることなく前記特定の当たり判定処理にかかる実行条件が成立しうるようにする手段
を有することを特徴とする遊技機。
【請求項２】
請求項１に記載の遊技機において、
所定の発光演出が行われるランプ装置をさらに備える
ことを特徴とする遊技機。
【請求項３】
請求項１または２に記載の遊技機において、
所定の音響演出が行われるスピーカ装置をさらに備える
ことを特徴とする遊技機。
【手続補正２】
【補正対象書類名】明細書
【補正対象項目名】００１０
【補正方法】変更
【補正の内容】
【００１０】
こうした目的を達成するため、請求項１に記載の発明では、始動口への遊技球の入球に基づいて乱数を取得する乱数取得手段と、前記乱数取得手段により取得される乱数に基づいて、当たり判定処理を行う当たり判定手段と、前記当たり判定手段による当たり判定処理の結果が当たりであることに基づいて、当たり遊技を行う当たり遊技実行手段と、前記乱数取得手段により乱数が取得された場合、この乱数が供される当たり判定処理をその実行条件が成立するまで待機させて保留する遊技保留手段と、前記当たり判定処理にかかる実行条件が成立することによりその保留状態が解除された以降、該当たり判定処理の結果に基づいて、図柄の変動表示にかかる制御を行う変動表示制御手段と、前記遊技保留手段によって保留されている当たり判定処理についての保留の状況が示される領域に保留画像を表示する制御を実行可能な保留画像表示制御手段と、前記遊技保留手段によって保留されている当たり判定処理のうちの特定の当たり判定処理に対して前記保留画像が表示されているなかで、保留状態にある他の当たり判定処理にかかる実行条件が成立したことに基づき、第１の演出結果及び第２の演出結果の分岐点を有する動的表示としての分岐アクションを特定のキャラクタ画像を用いて前記保留画像に対して開始させ、該分岐アクションが開始されてからの時間の経過によりその動的表示が第１の演出結果及び第２の演出結果のいずれに分岐していくのかを前記実行条件の成立した１回の他の当たり判定処理の結果に応じた図柄の変動表示が行われる期間内で示す制御を実行可能な進展表示制御手段とを備え、前記分岐アクションが開始されてからの時間の経過によりその動的表示が第１の演出結果に分岐していく場合と第２の演出結果に分岐していく場合とで異なる当たり期待度であることが示されうるものであって、さらに、前記第１の演出結果に分岐していく動的表示が行われた後に表示される結果態様として当たり期待度の異なる複数の結果態様が用意されており、前記複数の結果態様のいずれが表示されるのかによって異なる当たり期待度であることが示されうるように制御する手段、前記第１の演出結果に分岐していく動的表示が行われた後に表示された結果態様を、複数の前記図柄の変動表示にまたがって表示する結果継続表示制御手段、及び前記第１の演出結果に分岐していく態様と前記第２の演出結果に分岐していく態様とのいずれの分岐アクションが開始されるのか事前に決定されているにもかかわらず、該分岐アクションが未だ開始されていない段階にあるときに、他の当たり判定処理の結果に応じた図柄の変動表示が行われた結果、当たり表示が現れた場合、該分岐アクションを開始させることなく前記特定の当たり判定処理にかかる実行条件が成立しうるようにする手段ことを要旨とする。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
内固定具を組織に結合する方法であって、以下を含む：
内固定具を組織に近接して配置し、前記組織を所定の位置で固定することと、
前記内固定具にエネルギーを加え、前記内固定具の少なくとも一部を溶解することと、
前記内固定具の溶解された部分を硬化させ、前記組織をねじ留め及び穴あけすることなく、前記内固定具を前記組織に取り付けること。
【請求項２】
内固定具を組織に結合する方法であって、以下を含む：
内固定具を組織に近接して配置し、前記組織を所定の位置で固定することと、
前記内固定具にエネルギーを加え、前記内固定具の少なくとも一部を溶解することと、
前記内固定具の溶解された部分を硬化させ、第２の固定具を用いることなく、前記内固定具を前記組織に取り付けること。
【請求項３】
内固定具を組織に結合する方法であって、以下を含む：
内固定具を組織に近接して配置し、前記組織を所定の位置で固定することと、
前記内固定具にエネルギーを加え、前記内固定具の少なくとも一部を溶解することと、
前記内固定具の溶解された部分を硬化させ、前記内固定具が前記内固定具と前記組織との間の接着性を付与し、他の構成成分又は物質による追加の接着剤を供給することなく前記内固定具と前記組織とを結合すること。
【請求項４】
前記内固定具が生分解性であり、吸収性のプレートである、請求項１から３のいずれかに記載の方法。
【請求項５】
前記プレートが多孔質である、請求項４に記載の方法。
【請求項６】
前記プレートが、第２のポリマーとの共連続相として存在する第１のポリマーを含有する、請求項４に記載の方法。
【請求項７】
前記第１のポリマーは、ポリ乳酸を含有するポリマー又はコポリマーであり、
前記第２のポリマーは、ポリエステルを含有するポリマー又はコポリマーである、請求項６に記載の方法。
【請求項８】
前記ポリ乳酸の含有量が約１０％以上約８０％以下の範囲内である、請求項７に記載の方法。
【請求項９】
組織を結合する方法であって、以下を含む：
熱溶解接着剤を溶解することと、
溶解された熱溶解接着剤を少なくとも１つの骨組織セグメントに塗り、前記熱溶解接着剤が前記少なくとも１つの骨組織セグメントに接触させることと、
前記少なくとも１つの骨組織セグメントを、第２の固定具を用いることなく、骨組織の少なくとも１つの他の部分に固定すること。
【請求項１０】
前記少なくとも１つの骨組織セグメントと、前記骨組織の少なくとも１つの他の部分とは、前記少なくとも１つの骨組織セグメントと、前記骨組織の少なくとも１つの他の部分とに対してねじ留め及び穴あけすることなく結合されている、請求項９に記載の方法。
【請求項１１】
前記熱溶解接着剤は、骨プレートの一部であり、
前記骨プレートは、生分解性であり、吸収性であり、
生分解性ポリマー接着剤を溶解するステップは、生分解性であり、吸収性である骨プレートの少なくとも一部を溶解することを含む、請求項１０に記載の方法。
【請求項１２】
第２の装置が、ねじ、ピン又は追加の骨プレートを含む、請求項１１に記載の方法。
【請求項１３】
前記熱溶解接着剤が、第２のポリマー又はコポリマーとの共連続相として存在する第１のポリマー又はコポリマーを含有する、請求項９から１２のいずれかに記載の方法。
【請求項１４】
前記第１のポリマー又はコポリマーは、ポリ乳酸を含有し、
前記第２のポリマー又はコポリマーは、ポリエステルを含有する、請求項１３に記載の方法。
【請求項１５】
前記ポリ乳酸の含有量が約１０％以上約８０％以下の範囲内である、請求項１４に記載の方法。
【請求項１６】
内固定具と組織との接合構造であって、
前記内固定具と前記組織とは、前記内固定具のエネルギーによる溶融硬化物を介して、ねじ留め部及び穴あけ部なしで接合されている、接合構造。
【請求項１７】
内固定具と組織との接合構造であって、
前記内固定具と前記組織とは、前記内固定具のエネルギーによる溶融硬化物を介して、第２の固定具なしで接合されている、接合構造。
【請求項１８】
内固定具と組織との接合構造であって、
前記内固定具と前記組織とは、エネルギーによって接着性が付与された前記内固定具の溶融硬化物を介して、他の構成成分又は物質による追加の接着剤なしで接合されている、接合構造。
【請求項１９】
骨組織セグメントと骨組織の少なくとも１つの他の部分とが熱溶解接着剤を介して第２の固定具を用いることなく接合されている、接合構造。
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
可変表示を行う可変表示手段を備え、遊技者にとって有利な特定状態に制御可能な遊技機であって、
前記可変表示手段において可変表示が開始されてから表示結果を導出表示する以前に可変表示を仮停止してから再開する再可変表示を１回または複数回実行する再可変表示実行手段を備え、
前記再可変表示実行手段は、
特定期間でないときに、可変表示を特殊態様で仮停止してから再開する第１再可変表示実行手段と、
前記特定期間であるときに、可変表示を前記特殊態様以外の態様で仮停止してから再開する第２再可変表示実行手段と、を含む、
ことを特徴とする遊技機。
【手続補正２】
【補正対象書類名】明細書
【補正対象項目名】０００３
【補正方法】変更
【補正の内容】
【０００３】
１回の始動条件が成立したことに基づいて、可変表示装置において識別情報の可変表示を開始してから表示結果が導出表示されるまでに、識別情報の仮停止と再変動を１回または複数回行う擬似連変動を実行する遊技機が提案されている（例えば特許文献１）。
【手続補正３】
【補正対象書類名】明細書
【補正対象項目名】０００５
【補正方法】変更
【補正の内容】
【０００５】
しかしながら、特許文献１の遊技機では、演出が単調になることがあった。
【手続補正４】
【補正対象書類名】明細書
【補正対象項目名】０００７
【補正方法】変更
【補正の内容】
【０００７】
上記目的を達成するため、本発明の遊技機は、
可変表示を行う可変表示手段（例えば画像表示装置５など）を備え、遊技者にとって有利な特定状態（例えば大当り遊技状態など）に制御可能な遊技機（例えばパチンコ遊技機１など）であって、前記可変表示手段において可変表示が開始されてから表示結果を導出表示する以前に可変表示を仮停止してから再開する再可変表示（例えば擬似連変動など）を１回または複数回実行する再可変表示実行手段（例えば、「擬似連」の可変表示演出を伴う変動パターンに基づいて、演出制御用ＣＰＵ１２０がステップＳ１７２の処理を実行する部分など）を備え、前記再可変表示実行手段は、特定期間でないときに、可変表示を特殊態様で仮停止してから再開する第１再可変表示実行手段と、前記特定期間であるときに、可変表示を前記特殊態様以外の態様で仮停止してから再開する第２再可変表示実行手段と、を含む、ことを特徴とする。
このような構成によれば、演出が多様になり遊技の興趣が向上する。
（１）上記目的を達成するため、本発明の他の観点に係る遊技機は、
可変表示を行う可変表示手段（例えば画像表示装置５など）を備え、遊技者にとって有利な特定状態（例えば大当り遊技状態など）に制御可能な遊技機（例えばパチンコ遊技機１など）であって、前記可変表示手段における可変表示パターンを決定する可変表示パターン決定手段（例えばＣＰＵ１０３がステップＳ２６１〜Ｓ２７３の処理を実行する部分など）と、前記可変表示手段において可変表示が開始されてから表示結果を導出表示する以前に可変表示を仮停止してから再開する再可変表示（例えば擬似連変動など）を１回または複数回実行する再可変表示実行手段（例えば、「擬似連」の可変表示演出を伴う変動パターンに基づいて、演出制御用ＣＰＵ１２０がステップＳ１７２の処理を実行する部分など）と、前記再可変表示が実行されていることを報知する報知手段（例えば、演出制御用ＣＰＵ１２０が図２３（Ｂ）に示す図柄変動制御パターンに基づいて、ステップＳ１７２の処理で擬似連報知を実行する部分など）と、所定の条件が成立したことにより、特定の演出（例えば、ミッションモードなど）を実行する特定演出実行手段（例えば、演出制御用ＣＰＵ１２０がステップＳ５１５のモード移行判定処理を実行する部分など）と、前記特定演出実行手段により前記特定の演出が実行されているときに、前記報知手段による前記再可変表示が実行されていることの報知を制限する報知制限手段（例えば、演出制御用ＣＰＵ１２０がステップＳ５１１の処理において、ミッションモード中は擬似連報知を実行しない図柄変動制御パターンを選択する部分など）と、を備え、前記可変表示パターン決定手段は、前記特定演出実行手段が前記特定の演出を実行しているか否かに関わらず同じ割合で、前記可変表示パターンとして前記所定の可変表示パターンに決定し（例えばＣＰＵ１０３がステップＳ１１１の変動パターン設定処理において、ミッションモードであるか否かに関わらず、共通の変動パターン種別決定テーブル１３３Ａ〜１３３Ｃ、共通の変動パターン決定テーブル１３４Ａ、１３４Ｂを使用して変動パターンを決定する）、前記再可変表示実行手段は、特定期間でないときに、可変表示を特殊態様で仮停止してから再開する第１再可変表示実行手段と、前記特定期間であるときに、可変表示を前記特殊態様以外の態様で仮停止してから再開する第２再可変表示実行手段と、を含む、ことを特徴とする。
このような構成によれば、演出が多様になり遊技の興趣が向上する。
【手続補正５】
【補正対象書類名】明細書
【補正対象項目名】０００８
【補正方法】変更
【補正の内容】
【０００８】
（２）上記（１）の遊技機において、
前記再可変表示実行手段は、前記特定演出実行手段により前記特定の演出が実行されているか否かに関わらず、可変表示を特殊表示結果で仮停止してから前記再可変表示を実行する（例えば、図２４、図２５に示すように、ミッションモードであっても、擬似連チャンス目を仮停止させてから変動を再開する）ようにしてもよい。
このような構成によれば、特定の演出が実行されているときであっても、再可変表示が実行されていることを報知できる。
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
半導体装置を形成するための方法であり、前記方法は：
プロセスチャンバ内の基板ホルダ上に基板を準備し、前記基板が、上部表面と側壁表面を持つ立ち上がり構造を含み；
前記プロセスチャンバ内にプロセスガスを流し、前記プロセスガスが炭化水素ガス、酸素含有ガス、並びに、前記プロセスガスを流すことが、酸素含有ガスの連続フロー及び前記炭化水素の連続パルスを含む前記炭化水素ガスのフローを含み；
前記プロセスチャンバ内のプロセスガス圧力を少なくとも１トールに維持し；
マイクロ波プラズマ源を用いて前記プロセスガスからプラズマを形成し；及び
前記基板を前記プラズマに曝露して前記立ち上がり構造の表面上に共形アモルファスカーボンフィルムを堆積させ、前記上部表面上の前記共形アモルファスカーボンフィルムの厚さと、前記側壁表面上の前記共形アモルファスカーボンフィルムの厚さとの比が、２未満である、方法。
【請求項２】
請求項１に記載の方法であり、さらに、前記曝露の際に、高周波数（ＲＦ）バイアス電力を前記基板に適用する、方法。
【請求項３】
請求項１に記載の方法であり、前記プロセスチャンバ内の前記プロセスガスの圧力が。１トールと５トールとの間である、方法。
【請求項４】
請求項１に記載の方法であり、さらに、基板ホルダの温度を２００℃未満に維持する、方法。
【請求項５】
請求項１に記載の方法であり、プラズマの形成が、前記基板に面するラジアルラインスロットアンテナ（ＲＬＳＡ）を含む前記マイクロ波プラズマ源により前記プロセスガスを励起することを含む、方法。
【請求項６】
請求項１に記載の方法であり、前記炭化水素ガスが、プラズマ励起で開裂されない炭素−炭素三重結合を含む、方法。
【請求項７】
請求項１に記載の方法であり、前記炭化水素ガスが、Ｃ４Ｈ４、Ｃ４Ｈ６、Ｃ６Ｈ６又はそれらの組合せを含む、方法。
【請求項８】
請求項１に記載の方法であり、前記酸素含有ガスが、Ｏ２、Ｈ２Ｏ又はＯ２とＨ２Ｏの両方を含む、方法。
【請求項９】
請求項１に記載の方法であり、前記プロセスガスが、Ｃ４Ｈ６、及びＯ２を含む、方法。
【請求項１０】
請求項１に記載の方法であり、前記比が１．４未満である、方法。
【請求項１１】
請求項１に記載の方法であり、さらに：前記共形アモルファスカーボンフィルムをエッチングしてパターン化ハードマスクを形成する、方法。
【請求項１２】
半導体装置を形成するための方法であり、前記方法は：
プロセスチャンバ内の基板ホルダ上に基板を準備し、前記基板が、上部表面と側壁表面を持つ立ち上がり構造を含み；
前記プロセスチャンバ内にプロセスガスを流し、前記プロセスガスが酸素含有ガスの連続フロー、及び炭化水素ガスの連続パルスを含む前記炭化水素ガスのフローを含み；
前記プロセスチャンバ内のプロセスガスの圧力を少なくとも１トールに維持し；
前記基板に面するラジアルラインスロットアンテナ（ＲＬＳＡ）を含むマイクロ波プラズマ源を用いて前記プロセスガスからプラズマを形成し、前記炭化水素ガスが、プラズマ励起では開裂されない炭素−炭素三重結合を含み；及び
前記基板を前記プラズマに曝露して前記立ち上がり構造の表面上に共形アモルファスカーボンフィルムを堆積させ、前記上部表面上の前記共形アモルファスカーボンフィルムの厚さと、前記側壁表面上の前記共形アモルファスカーボンフィルムの厚さとの比が、２未満である、方法。
【請求項１３】
請求項１２に記載の方法であり、さらに、前記曝露の際に前記基板ホルダへ高周波数（ＲＦ）バイアス電力を適用する、方法。
【請求項１４】
請求項１２に記載の方法であり、前記プロセスチャンバ内のプロセスガスのプロセスガス圧力が１トールと５トールとの間である、方法。
【請求項１５】
請求項１２に記載の方法であり、さらに、前記基板温度を２００℃未満に維持することを含む、方法。
【請求項１６】
請求項１２に記載の方法であり、前記酸素含有ガスが、Ｏ２、Ｈ２Ｏ又はＯ２及びＨ２Ｏの両方を含む、方法。
【請求項１７】
請求項１２に記載の方法であり、前記プロセスガスが、Ｃ４Ｈ６及びＯ２を含む、方法。
【請求項１８】
請求項１２に記載の方法であり、前記比が１．４未満である、方法。
【請求項１９】
請求項１に記載の方法であり、前記プロセスガスがアルゴン、ヘリウム、又はアルゴンとヘリウムの両方をさらに含む、方法。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
エッチング処理中はバルク窒化アルミニウム基板をエッチング液にさらすように構成されているチャンバと、
前記バルク窒化アルミニウム基板の厚さを示す信号を生成するように構成されている計測ユニットと、
を含む装置であって、
前記バルク窒化アルミニウム基板は、前記バルク窒化アルミニウム基板の上に成長させた１層以上のエピタキシャル層を含むサブアセンブリの基板であり、
前記計測ユニットは、
前記バルク窒化アルミニウム基板によって吸収されるが前記１層以上のエピタキシャル層によって吸収されない波長の光を生成するように構成されている光源と、
前記サブアセンブリを透過した光を検出するように配置されている検出器と、
を含み、
前記検出器は、前記検出された光の波長範囲にわたって前記サブアセンブリのスペクトル応答を特徴づけるように構成されている、
装置。
【請求項２】
前記計測ユニットは、前記サブアセンブリと電気接触するように構成されている電気コンタクトを含み、
前記計測ユニットは、前記電気コンタクトを介して前記サブアセンブリの１つ以上の電気的特性を測定するように構成されている、
請求項１に記載の装置。
【請求項３】
前記計測ユニットは、前記サブアセンブリの近傍の前記チャンバの中のイオン濃度を感知するように構成されている化学センサを含み、
前記計測ユニットは、前記イオン濃度に基づいて前記信号を生成するように構成されている、
請求項１に記載の装置。
【請求項４】
前記信号は、前記バルク窒化アルミニウム基板の前記厚さを示すアナログ信号である、
請求項１に記載の装置。
【請求項５】
前記信号は、前記バルク窒化アルミニウム基板が前記サブアセンブリの領域において除去されていることを示す、請求項１に記載の装置。
【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
壁部及び底面を有するキャビティを有するパッケージ本体と、
前記キャビティ内に位置する発光素子と、
前記パッケージ本体の内に挿入され、前記発光素子の下部に位置する放熱部と、
前記放熱部の周囲に位置し、ワイヤボンディングによって前記発光素子と電気的に連結される第２の電極パターンと
を備え、
前記第２の電極パターンは、ワイヤがボンディングされる第１の領域と、前記第１の領域と連結された第２の領域とを有し、
前記第１の領域の幅と前記第２の領域の幅が互いに異なる、発光素子パッケージ。
【請求項２】
前記パッケージ本体はセラミック材質からなる、請求項１に記載の発光素子パッケージ。
【請求項３】
前記第１の領域の幅は前記第２の領域の幅より広い、請求項１又は２に記載の発光素子パッケージ。
【請求項４】
前記パッケージ本体は複数の層からなり、前記第２の電極パターンは拡張パターンを含み、前記拡張パターンは、前記パッケージ本体をなす複数の層のうち少なくとも一つの層を貫通する少なくとも一つのビアホールと電気的に連結される、請求項１〜３のいずれかに記載の発光素子パッケージ。
【請求項５】
前記ビアホールは、前記パッケージ本体の下部に配置される電極パッドと電気的に接触する、請求項４に記載の発光素子パッケージ。
【請求項６】
前記ビアホールは、前記第２の電極パターンと電気的に連結され、前記キャビティの壁部と垂直方向に重畳される、請求項４又は５に記載の発光素子パッケージ。
【請求項７】
前記拡張パターンは、前記第２の電極パターンから前記キャビティの壁部方向に拡張されて形成され、少なくとも一部は前記キャビティの壁部の下側に位置する、請求項４〜６のいずれかに記載の発光素子パッケージ。
【請求項８】
前記発光素子パッケージは複数の発光素子を含み、前記放熱部は複数の発光素子にそれぞれ対応するように複数配置される、請求項１〜７のいずれかに記載の発光素子パッケージ。
【請求項９】
前記放熱部は、少なくとも２個の層からなり、前記放熱部内の第１の層の幅は第２の層の幅と異なる、請求項８に記載の発光素子パッケージ。
【請求項１０】
前記放熱部と前記発光素子との間に位置し、セラミック材質からなる支持プレートをさらに含む、請求項１〜９のいずれかに記載の発光素子パッケージ。
【請求項１１】
前記パッケージ本体と前記発光素子との間に第１の電極パターンが位置する、請求項１〜１０のいずれかに記載の発光素子パッケージ。
【請求項１２】
前記第１の電極パターンは、チップ実装領域と、前記チップ実装領域の周囲に配置される複数の縁部領域とを有し、隣接した各縁部領域間で前記パッケージ本体が露出する、請求項１１に記載の発光素子パッケージ。
【請求項１３】
前記複数の縁部領域は前記チップ実装領域のコーナーに位置する、請求項１２に記載の発光素子パッケージ。
【請求項１４】
前記複数の縁部領域は前記チップ実装領域の辺に沿って位置する、請求項１２に記載の発光素子パッケージ。
【請求項１５】
前記支持プレートを貫通するビアホールが配置され、前記支持プレートのビアホールと前記第１の電極パターンとが電気的に連結される、請求項１１〜１４のいずれかに記載の発光素子パッケージ。
【請求項１６】
前記放熱部の底面に位置する支持プレートをさらに備える、請求項１〜１５のいずれかに記載の発光素子パッケージ。
【請求項１７】
前記パッケージ本体のキャビティ内に位置する透光層をさらに備える、請求項１〜１６のいずれかに記載の発光素子パッケージ。
【請求項１８】
前記発光素子から放出される光は２６０〜４０５ｎｍの波長の範囲に属する、請求項１〜１７のいずれかに記載の発光素子パッケージ。
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
支持基板と、
前記支持基板上に配置された第１発光構造物であって、第１導電型の第１半導体層、前記第１半導体層の下の第１活性層、前記第１活性層の下の第２導電型の第２半導体層を有する第１発光構造物と、
前記第１発光構造物の下の第１反射電極と、
前記第１反射電極のまわりに配置された第１金属層と、
前記支持基板上に配置された第２発光構造物であって、第１導電型の第３半導体層、前記第３半導体層の下の第２活性層、前記第２活性層の下の第２導電型の第４半導体層を有する第２発光構造物と、
前記第２発光構造物の下の第２反射電極と、
前記第２反射電極のまわりに配置された第２金属層と、
前記第１発光構造物の第１半導体層の内部に接触して、前記第２反射電極と電気的に連結されたコンタクト部と、を備え、
前記第２発光構造物は、前記第１発光構造物から離隔して配置され、
前記第２金属層の上部面が、前記第１発光構造物と前記第２発光構造物との間に露出された発光素子。
【請求項２】
前記第２金属層は、前記第１発光構造物と前記第２発光構造物とを分離させるアイソレーションエッチング工程でエッチングストッパとして機能する、請求項１に記載の発光素子。
【請求項３】
前記コンタクト部は、前記第２金属層の下部に接触している、請求項１又は２に記載の発光素子。
【請求項４】
前記コンタクト部は、前記第２金属層の側面に接触している、請求項１乃至３のいずれかに記載の発光素子。
【請求項５】
前記第１反射電極と前記第２導電型の第２半導体層との間に配置された第１オーミック接触層をさらに備え、
前記第２反射電極と前記第２導電型の第４半導体層との間に配置された第２オーミック接触層をさらに備える、請求項１乃至４のいずれかに記載の発光素子。
【請求項６】
前記コンタクト部は、前記第２導電型の第２半導体層の間及び前記コンタクト部と前記第１活性層との間に配置された第１絶縁層をさらに備える、請求項１乃至５のいずれかに記載の発光素子。
【請求項７】
前記第１絶縁層は、前記第２半導体層内で前記コンタクト部を取り囲む、請求項６に記載の発光素子。
【請求項８】
前記第１絶縁層の一部領域は、前記支持基板と前記第２反射電極との間に配置されている、請求項６又は７に記載の発光素子。
【請求項９】
前記第１導電型の第１半導体層がＧａＮ層を含む場合、前記コンタクト部は前記第１半導体層のＧａ面に接触している、請求項１乃至８のいずれかに記載の発光素子。
【請求項１０】
前記第２金属層の上部面上に絶縁層が配置されていない、請求項１乃至９のいずれかに記載の発光素子。
【請求項１１】
胴体と、
前記胴体の上に配置された、請求項１乃至１０のいずれかに記載の発光素子と、
前記発光素子に電気的に連結された第１リード電極及び第２リード電極とを備える発光素子パッケージ。
【請求項１２】
基板と、
前記基板の上に配置された、請求項１乃至１０のいずれかに記載の発光素子と、
前記発光素子から提供される光が過ぎ去る光学部材とを備えるライトユニット。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
所定条件が成立したことに基づいて抽選を行う抽選手段と、
該抽選手段による抽選結果に基づいて利益を付与する利益付与状態に制御する利益付与状態制御手段と、
前記抽選手段による抽選結果に関する演出を行う演出実行手段と、
前記抽選手段による抽選結果に関する演出に応じて遊技者が操作可能な操作手段と、
該操作手段が操作された場合に当該操作手段に対する操作時間および操作量に基づいて遊技者の操作態様を検知する操作態様検知手段と、を備え、
前記演出実行手段は、前記抽選手段による抽選結果に関する演出を行うに際し、前記操作態様検知手段により前記操作態様として特定の操作態様が検知されたことに基づいて特別演出を行うことを特徴とする遊技機。
【手続補正２】
【補正対象書類名】明細書
【補正対象項目名】０００７
【補正方法】変更
【補正の内容】
【０００７】
上記目的を達成するために、請求項１の発明においては、
所定条件が成立したことに基づいて抽選を行う抽選手段と、
該抽選手段による抽選結果に基づいて利益を付与する利益付与状態に制御する利益付与状態制御手段と、
前記抽選手段による抽選結果に関する演出を行う演出実行手段と、
前記抽選手段による抽選結果に関する演出に応じて遊技者が操作可能な操作手段と、
該操作手段が操作された場合に当該操作手段に対する操作時間および操作量に基づいて遊技者の操作態様を検知する操作態様検知手段と、を備え、
前記演出実行手段は、前記抽選手段による抽選結果に関する演出を行うに際し、前記操作態様検知手段により前記操作態様として特定の操作態様が検知されたことに基づいて特別演出を行うことを特徴とする。
【手続補正３】
【補正対象書類名】明細書
【補正対象項目名】０００８
【補正方法】変更
【補正の内容】
【０００８】
請求項１記載の遊技機によれば、抽選手段による抽選結果に関する演出を行うに際し、操作態様検知手段により操作態様として特定の操作態様が検知されたことに基づいて特別演出を行うことを特徴とする。これによれば、操作態様検知手段により操作態様として特定の操作態様が検知されたと判断された遊技者にだけ、特別演出を行うことで、演出が単調とならず、遊技者にワクワク感を生じさせることができる。また、操作手段に対する操作時間および操作量に基づいて遊技者の操作態様を検知することにより、特定の操作態様が検知されたかを判断しているが、例えば、操作手段が穏和に操作されたかを判断することで、操作手段が乱暴に操作されることがなく、操作手段が故障するのを防止することができる。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
発射装置により遊技盤上の遊技領域に向けて発射された遊技球を回収し、回収した遊技球を前記発射装置により再度発射することで、内部に封入された所定数の遊技球を循環的に使用して遊技を行う封入式の弾球遊技機であって、
前記発射装置により発射された遊技球を回収する回収手段と、
前記回収手段により回収された遊技球を、再度発射させるために前記発射装置に誘導する誘導手段と、
前記誘導手段により誘導される遊技球の汚れを除去する除去手段と、
遊技中か否かを判定する判定手段と、
前記判定手段により遊技中と判定された場合には、前記除去手段に対し遊技球の汚れの除去を行わせず、前記判定手段により遊技中でないと判定された場合に、前記発射装置に対し遊技の発射を行わせると共に、前記除去手段に対し、前記誘導手段により誘導される遊技球の汚れの除去を行わせる除去制御手段と、を備え、
前記誘導手段は、前記回収手段により回収された遊技球を、再度発射させるために前記発射装置に誘導する発射装置誘導経路として構成されており、
前記除去手段は、前記発射装置誘導経路に対する接近と離間が可能であり、前記発射装置誘導経路に接近した際には、前記発射装置誘導経路により誘導される遊技球に当接し、該遊技球を研磨することで汚れを除去すると共に、前記発射装置誘導経路から離間した際には、前記発射装置誘導経路による遊技球の誘導を妨げることが無い状態となるよう構成されており、
前記除去制御手段は、前記判定手段により遊技中と判定された場合には、前記除去手段を前記発射装置誘導経路から離間させることで、前記除去手段に対し前記遊技球の研磨を行わせず、前記判定手段により遊技中でないと判定された場合には、前記除去手段を前記発射装置誘導経路に接近させ、前記除去手段に対し遊技球の研磨を行わせることで、前記遊技球の汚れの除去を行わせること、
を特徴とする弾球遊技機。
【請求項２】
請求項１に記載の弾球遊技機において、
前記遊技球の汚れの除去を行うために発射された遊技球により、遊技が行われることを防ぐ防止手段を備え、
前記回収手段は、前記発射装置により発射された後に遊技領域に到達し、遊技領域に設けられた入賞口或いはアウト口に入球した遊技球を回収すると共に、前記発射装置により発射された後に遊技領域に到達しなかった遊技球をファール球として回収し、
前記防止手段は、前記遊技球の汚れの除去を行う際、前記発射装置に対し、前記ファール球となるように遊技球を発射させること、
を特徴とする弾球遊技機。
【請求項３】
請求項１に記載の弾球遊技機において、
前記遊技球の汚れの除去を行うために発射された遊技球により、遊技が行われることを防ぐ防止手段を備え、
前記防止手段は、前記遊技球の汚れの除去が行われている間、遊技領域に設けられた入賞口或いはゲートへの遊技球の進入を無効とすること、
を特徴とする弾球遊技機。
【請求項４】
請求項１から請求項３のうちのいずれか１項に記載の弾球遊技機において、
遊技球の汚れの除去を開始する除去開始操作を受け付ける受付手段をさらに備え、
前記除去制御手段は、前記判定手段により遊技中でないと判定された場合に、前記受付手段を介して前記除去開始操作を受け付けると、前記除去手段に対し前記遊技球の汚れの除去を行わせること、
を特徴とする弾球遊技機。
【請求項５】
請求項１から請求項３のうちのいずれか１項に記載の弾球遊技機において、
前記除去制御手段は、前記判定手段により遊技中でないと判定された場合に、予め定められた開始条件が成立すると、前記除去手段に対し前記遊技球の汚れの除去を行わせること、
を特徴とする弾球遊技機。
【手続補正２】
【補正対象書類名】明細書
【補正対象項目名】００１１
【補正方法】変更
【補正の内容】
【００１１】
この封入式の弾球遊技機は、発射装置により発射された遊技球を回収する回収手段と、回収手段により回収された遊技球を、再度発射させるために発射装置に誘導する誘導手段と、誘導手段により誘導される遊技球の汚れを除去する除去手段と、遊技中か否かを判定する判定手段と、判定手段により遊技中と判定された場合には、除去手段に対し遊技球の汚れの除去を行わせず、判定手段により遊技中でないと判定された場合に、発射装置に対し遊技の発射を行わせると共に、除去手段に対し、誘導手段により誘導される遊技球の汚れの除去を行わせる除去制御手段と、を備える。
【手続補正３】
【補正対象書類名】明細書
【補正対象項目名】００２０
【補正方法】変更
【補正の内容】
【００２０】
このような構成を有する場合であっても、遊技球の汚れの除去を行うか否かを、確実に切り替えることができる。
【手続補正４】
【補正対象書類名】明細書
【補正対象項目名】００２１
【補正方法】変更
【補正の内容】
【００２１】
すなわち、請求項２に記載されているように、遊技球の汚れの除去を行うために発射された遊技球により、遊技が行われることを防ぐ防止手段を備え、回収手段は、発射装置により発射された後に遊技領域に到達し、遊技領域に設けられた入賞口或いはアウト口に入球した遊技球を回収すると共に、発射装置により発射された後に遊技領域に到達しなかった遊技球をファール球として回収し、防止手段は、遊技球の汚れの除去を行う際、発射装置に対し、ファール球となるように遊技球を発射させても良い。
【手続補正５】
【補正対象書類名】明細書
【補正対象項目名】００３１
【補正方法】変更
【補正の内容】
【００３１】
こうすることにより、遊技球の汚れの除去が自動的に行われるため、封入式の弾球遊技機を管理する手間を減らすことができる。
なお、開始条件とは、予め定められた時刻が到来するという条件であっても良い。
【手続補正６】
【補正対象書類名】明細書
【補正対象項目名】００３３
【補正方法】変更
【補正の内容】
【００３３】
こうすることにより、遊技球の汚れが酷くなる前に、自動的に汚れの除去を行うことができる。
ところで、除去制御手段は、予め定められた時間にわたり、除去手段に対し遊技球の汚れの除去を行わせても良い。
【手続補正７】
【補正対象書類名】明細書
【補正対象項目名】００３４
【補正方法】変更
【補正の内容】
【００３４】
こうすることにより、適度に遊技球の汚れの除去を行うことができる。
また、輝度に基づき遊技球の汚れの度合いを測定する測定手段をさらに備え、除去制御手段は、測定手段により測定された遊技球の汚れの度合いが予め定められた度合いに達するまで、除去手段に対し遊技球の汚れの除去を行わせても良い。
【手続補正８】
【補正対象書類名】明細書
【補正対象項目名】００３６
【補正方法】変更
【補正の内容】
【００３６】
そこで、発射装置により発射された後、遊技領域に到達した遊技球をイン、遊技領域に到達した後に回収手段により回収された遊技球をアウトとし、イン及びアウトの数をカウントし、これらの数を外部に通知するカウント手段と、遊技球の汚れの除去が行われている際に、イン及びアウトの数の外部への通知を停止させる停止手段と、をさらに備えることを特徴とする。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
発射装置により遊技盤上の遊技領域に向けて発射された遊技球を回収し、回収した遊技球を前記発射装置により再度発射することで、内部に封入された所定数の遊技球を循環的に使用して遊技を行う封入式の弾球遊技機であって、
前記発射装置により発射された遊技球を回収する回収手段と、
前記回収手段により回収された遊技球を、再度発射させるために前記発射装置に誘導する誘導手段と、
前記誘導手段により誘導される遊技球の汚れを除去する除去手段と、
遊技中か否かを判定する判定手段と、
前記判定手段により遊技中と判定された場合には、前記除去手段に対し遊技球の汚れの除去を行わせず、前記判定手段により遊技中でないと判定された場合に、前記発射装置に対し遊技球の発射を行わせると共に、前記除去手段に対し、前記誘導手段により誘導される遊技球の汚れの除去を行わせる除去制御手段と、
を備えることを特徴とする封入式の弾球遊技機。
【手続補正２】
【補正対象書類名】明細書
【補正対象項目名】００１１
【補正方法】変更
【補正の内容】
【００１１】
この封入式の弾球遊技機は、発射装置により発射された後に遊技領域に到達し、遊技領域に設けられた入賞口或いはアウト口に入球した遊技球を回収する回収手段と、回収手段により回収された遊技球を、再度発射させるために発射装置に誘導する誘導手段と、誘導手段により誘導される遊技球の汚れを除去する除去手段と、遊技中か否かを判定する判定手段と、判定手段により遊技中と判定された場合には、除去手段に対し遊技球の汚れの除去を行わせず、判定手段により遊技中でないと判定された場合に、発射装置に対し遊技球の発射を行わせると共に、除去手段に対し、誘導手段により誘導される遊技球の汚れの除去を行わせる除去制御手段と、を備えることを特徴とする。
【手続補正３】
【補正対象書類名】明細書
【補正対象項目名】００１６
【補正方法】変更
【補正の内容】
【００１６】
また、汚れの除去の際には、発射された遊技球は、進路変更手段により進路が変更されてファール球となるよう構成すれば、該遊技球により遊技が行われてしまうことを確実に防ぐことができる。
【手続補正４】
【補正対象書類名】明細書
【補正対象項目名】００１９
【補正方法】変更
【補正の内容】
【００１９】
これに対し、汚れの除去のために発射された遊技球が遊技領域に到達しないため、遊技球の発射を目立たなくすることや、遊技球の発射を外部から見えなくすることができる。このため、客に対し、上述した違和感や誤解を与えることを防ぐことができる。
【手続補正５】
【補正対象書類名】明細書
【補正対象項目名】００２０
【補正方法】変更
【補正の内容】
【００２０】
なお、次のようにして発射装置により発射された遊技球の進路を変更し、該遊技球をファール球として回収しても良い。
すなわち、回収手段は、発射経路の壁部における、発射経路を発射装置に向かって流下する遊技球が入球する位置に設けられたファール球取込口に入球した遊技球を、ファール球として回収し、進路変更手段は、発射経路と交差する方向にスライド移動可能であり、該スライド移動により、発射経路の壁部に設けられた収納部に収納された収納状態と、該壁部から突出した突出状態とに変位する開閉部材として構成され、防止手段は、遊技球の汚れの除去が行われていない場合には、開閉部材を収納状態とすることで、発射装置から発射された遊技球を遊技領域に到達可能とし、遊技球の汚れの除去が行われる間、開閉部材を突出状態とすることで、発射装置から発射された遊技球を開閉部材に衝突させてファール球取込口に誘導し、該遊技球をファール球とすることで、遊技が行われることを防いでも良い。
【手続補正６】
【補正対象書類名】明細書
【補正対象項目名】００２２
【補正方法】変更
【補正の内容】
【００２２】
さらに、開閉部材は、突出状態となった場合に、その一端が、発射経路の壁部に設けられた陥没部に嵌入した状態となっても良い。
こうすることにより、遊技球の汚れの除去が行なわれる間、発射装置により発射された遊技球と衝突した際の衝撃により、開閉部材が曲がってしまうことや、開閉部材の配置位置がずれてしまい、開閉部材をスライド移動させるための機構が破損してしまうことを防ぐことができる。
【手続補正７】
【補正対象書類名】明細書
【補正対象項目名】００２３
【補正方法】変更
【補正の内容】
【００２３】
また、開閉部材は、発射経路におけるファール球取込口と遊技領域との間に配置する必要があるが、次のような位置に配置されていても良い。
すなわち、ファール球取込口に入球し、ファール球として回収される遊技球が流下する経路をファール球取込経路とし、開閉部材は、突出状態となった際に、ファール球取込経路の延長線と交差した状態となっても良い。
【手続補正８】
【補正対象書類名】明細書
【補正対象項目名】００２８
【補正方法】変更
【補正の内容】
【００２８】
すなわち、遊技球の汚れの除去を開始する除去開始操作を受け付ける受付手段をさらに備え、除去制御手段は、判定手段により遊技中でないと判定された場合に、受付手段を介して除去開始操作を受け付けると、除去手段に対し遊技球の汚れの除去を行わせても良い。
【手続補正９】
【補正対象書類名】明細書
【補正対象項目名】００３０
【補正方法】変更
【補正の内容】
【００３０】
しかしながら、操作に応じて遊技球の汚れの除去を行うとなると、封入式の弾球遊技機を管理する手間が増えてしまう。
そこで、除去制御手段は、判定手段により遊技中でないと判定された場合に、予め定められた開始条件が成立すると、除去手段に対し遊技球の汚れの除去を行わせても良い。
【手続補正１０】
【補正対象書類名】明細書
【補正対象項目名】００３１
【補正方法】変更
【補正の内容】
【００３１】
こうすることにより、遊技球の汚れの除去が自動的に行われるため、封入式の弾球遊技機を管理する手間を減らすことができる。
なお、開始条件とは、予め定められた時刻が到来するという条件であっても良い。
【手続補正１１】
【補正対象書類名】明細書
【補正対象項目名】００３３
【補正方法】変更
【補正の内容】
【００３３】
こうすることにより、遊技球の汚れが酷くなる前に、自動的に汚れの除去を行うことができる。
ところで、除去制御手段は、予め定められた時間にわたり、除去手段に対し遊技球の汚れの除去を行わせても良い。
【手続補正１２】
【補正対象書類名】明細書
【補正対象項目名】００３４
【補正方法】変更
【補正の内容】
【００３４】
こうすることにより、適度に遊技球の汚れの除去を行うことができる。
また、輝度に基づき遊技球の汚れの度合いを測定する測定手段をさらに備え、除去制御手段は、測定手段により測定された遊技球の汚れの度合いが予め定められた度合いに達するまで、除去手段に対し遊技球の汚れの除去を行わせても良い。